(57)【要約】  本発明は、連絡先管理方法および装置に関する。当該方法は、アドレス帳における連絡先の連絡情報を取得するステップと、連絡情報が所定条件を満たす連絡先を、削除すべき連絡先として特定するステップと、特定された前記削除すべき連絡先を表示するステップとを含み、前記連絡情報には、前記連絡先の社交情報に対する照会状況が含まれている。本発明の実施例では、連絡情報が前記連絡先の社交情報に対する照会状況を含むため、端末機器は、連絡先の社交情報に対する照会状況に応じて削除すべき連絡先を提供可能であり、ユーザは、連絡先の社交情報に対する照会状況に基づいてアドレス帳における連絡先を便利に管理することができる。【選択図】図１
2018503273.tif 000002
【特許請求の範囲】
【請求項１】
アドレス帳における連絡先の連絡情報を取得するステップと、
連絡情報が所定条件を満たす連絡先を、削除すべき連絡先として特定するステップと、
特定された前記削除すべき連絡先を表示するステップと、を含み、
前記連絡情報には、前記連絡先の社交情報に対する照会状況が含まれていることを特徴とする連絡先管理方法。
【請求項２】
前記連絡先の連絡情報を取得する前に、さらに、
連絡先として追加された時間と、連絡先と連絡した時間および／または回数と、前記連絡先の社交情報に対する照会状況とのうちの１つまたは複数の連絡情報を、それぞれ前記連絡先へ記録するステップを含み、
前記連絡先の社交情報に対する照会状況は、連絡先資料を照会した時間および／または回数と、連絡先の個人空間を照会した時間および／または回数と、連絡先から配布された情報を閲覧した時間および／または回数と、連絡先がコメントを返信した時間および／または回数とのうちの１つまたは複数を含み、
前記アドレス帳における連絡先の連絡情報を取得するステップは、
記録された前記連絡情報から、アドレス帳における連絡先の連絡情報を取得するステップを含むことを特徴とする請求項１に記載の連絡先管理方法。
【請求項３】
特定された削除すべき連絡先を表示した後、さらに、
前記削除すべき連絡先のうちの１つまたは複数の連絡先に対する選択を含むユーザ削除指令を受信するステップと、
アドレス帳から前記１つまたは複数の連絡先を削除するステップと、を含むことを特徴とする請求項１に記載の連絡先管理方法。
【請求項４】
前記アドレス帳における連絡先の連絡情報を取得する前に、さらに、
連絡先をクリーンアップする旨の指令を受信するステップを含むことを特徴とする請求項１に記載の連絡先管理方法。
【請求項５】
前記アドレス帳における連絡先の連絡情報を取得するステップは、
所定時間間隔ごとに、アドレス帳における連絡先の連絡情報を取得するステップを含むことを特徴とする請求項１に記載の連絡先管理方法。
【請求項６】
アドレス帳における連絡先の連絡情報を取得するための取得モジュールと、
前記取得モジュールによって取得された連絡情報が所定条件を満たす連絡先を、削除すべき連絡先として特定するための特定モジュールと、
前記特定モジュールによって特定された前記削除すべき連絡先を表示するための表示モジュールと、を備え、
前記連絡情報には、前記連絡先の社交情報に対する照会状況が含まれていることを特徴とする連絡先管理装置。
【請求項７】
連絡先の連絡情報が前記取得モジュールによって取得される前に、連絡先として追加された時間と、連絡先と連絡した時間および／または回数と、前記連絡先の社交情報に対する照会状況とのうちの１つまたは複数の連絡情報を、それぞれ前記連絡先へ記録するための記録モジュールをさらに備え、
前記連絡先の社交情報に対する照会状況は、連絡先資料を照会した時間および／または回数と、連絡先の個人空間を照会した時間および／または回数と、連絡先から配布された情報を閲覧した時間および／または回数と、連絡先がコメントを返信した時間および／または回数とのうちの１つまたは複数を含み、
前記取得モジュールは、前記記録モジュールによって記録された前記連絡情報から、アドレス帳における連絡先の連絡情報を取得することを特徴とする請求項６に記載の連絡先管理装置。
【請求項８】
前記表示モジュールによって表示された前記削除すべき連絡先のうちの１つまたは複数の連絡先に対する選択を含むユーザ削除指令を受信するための第１受信モジュールと、
前記受信モジュールによって受信された前記ユーザ削除指令における前記１つまたは複数の連絡先をアドレス帳から削除するための削除モジュールと、をさらに備えることを特徴とする請求項６に記載の連絡先管理装置。
【請求項９】
アドレス帳における連絡先の連絡情報が前記取得モジュールによって取得される前に、連絡先をクリーンアップする旨の指令を受信するための第２受信モジュールをさらに備えることを特徴とする請求項６に記載の連絡先管理装置。
【請求項１０】
前記取得モジュールは、所定時間間隔ごとに、アドレス帳における連絡先の連絡情報を取得することを特徴とする請求項６に記載の連絡先管理装置。
【請求項１１】
プロセッサと、
プロセッサの実行可能な指令を記憶するためのメモリと、を備え、
前記プロセッサは、
アドレス帳における連絡先の連絡情報を取得し、
連絡情報が所定条件を満たす連絡先を、削除すべき連絡先として特定し、
特定された前記削除すべき連絡先を表示するように構成され、
前記連絡情報には、前記連絡先の社交情報に対する照会状況が含まれていることを特徴とする連絡先管理装置。
【発明の詳細な説明】
【技術分野】
【０００１】
本発明は、通信技術分野に関し、特に連絡先管理方法および装置に関する。
【背景技術】
【０００２】
通信技術の継続的な発展に伴い、通信ツールを利用して友人と連絡する人がますます多くなる。通信ツールは、例えば、インスタント通信ツール、ショットメッセージ、電話等を含む。時間の経過につれて、通信ツールにおけるアドレス帳に格納されている連絡先も膨大になる可能性がある。その中、連絡によく利用される連絡先もあるし、何時追加したかすら自分でも覚えない連絡先もある。アドレス帳における連絡先が増加すればするほど、ユーザが戸惑いを感じてしまう虞がある。
【発明の概要】
【発明が解決しようとする課題】
【０００３】
本発明の実施例は、連絡先管理方法および装置を提供する。前記技術案は、下記の通りである。
【課題を解決するための手段】
【０００４】
本発明の実施例の第１態様によれば、連絡先管理方法を提供する。当該方法は、
アドレス帳における連絡先の連絡情報を取得するステップと、
連絡情報が所定条件を満たす連絡先を、削除すべき連絡先として特定するステップと、
特定された前記削除すべき連絡先を表示するステップとを含み、
前記連絡情報には、前記連絡先の社交情報に対する照会状況が含まれている。
【０００５】
好ましくは、前記連絡先の連絡情報を取得する前に、前記方法は、さらに、
連絡先として追加された時間と、連絡先と連絡した時間および／または回数と、前記連絡先の社交情報に対する照会状況とのうちの１つまたは複数の連絡情報を、それぞれ前記連絡先へ記録するステップを含み、
前記連絡先の社交情報に対する照会状況は、連絡先資料を照会した時間および／または回数と、連絡先の個人空間を照会した時間および／または回数と、連絡先から配布された情報を閲覧した時間および／または回数と、連絡先がコメントを返信した時間および／または回数とのうちの１つまたは複数を含み、
前記アドレス帳における連絡先の連絡情報を取得するステップは、
記録された前記連絡情報から、アドレス帳における連絡先の連絡情報を取得するステップを含む。
【０００６】
好ましくは、特定された削除すべき連絡先を表示した後、前記方法は、さらに、
前記削除すべき連絡先のうちの１つまたは複数の連絡先に対する選択を含むユーザ削除指令を受信するステップと、
前記１つまたは複数の連絡先をアドレス帳から削除するステップとを含む。
【０００７】
好ましくは、前記アドレス帳における連絡先の連絡情報を取得する前に、前記方法は、さらに、
連絡先をクリーンアップする旨の指令を受信するステップを含む。
【０００８】
好ましくは、前記アドレス帳における連絡先の連絡情報を取得するステップは、
所定時間間隔ごとに、アドレス帳における連絡先の連絡情報を取得するステップを含む。
【０００９】
本発明の実施例の第２態様によれば、連絡先管理装置を提供する。当該装置は、
アドレス帳における連絡先の連絡情報を取得するための取得モジュールと、
前記取得モジュールによって取得された連絡情報が所定条件を満たす連絡先を、削除すべき連絡先として特定するための特定モジュールと、
前記特定モジュールによって特定された前記削除すべき連絡先を表示するための表示モジュールとを備え、
前記連絡情報には、前記連絡先の社交情報に対する照会状況が含まれている。
【００１０】
好ましくは、前記装置は、記録モジュールをさらに備え、
前記記録モジュールは、連絡先の連絡情報が前記取得モジュールによって取得される前に、連絡先として追加された時間と、連絡先と連絡した時間および／または回数と、前記連絡先の社交情報に対する照会状況とのうちの１つまたは複数の連絡情報を、それぞれ前記連絡先へ記録し、
前記連絡先の社交情報に対する照会状況は、連絡先資料を照会した時間および／または回数と、連絡先の個人空間を照会した時間および／または回数と、連絡先から配布された情報を閲覧した時間および／または回数と、連絡先がコメントを返信した時間および／または回数とのうちの１つまたは複数を含み、
前記取得モジュールは、前記記録モジュールによって記録された前記連絡情報から、アドレス帳における連絡先の連絡情報を取得する。
【００１１】
好ましくは、前記装置は、さらに、
前記表示モジュールによって表示された前記削除すべき連絡先のうちの１つまたは複数の連絡先に対する選択を含むユーザ削除指令を受信するための第１受信モジュールと、
前記受信モジュールによって受信された前記ユーザ削除指令における前記１つまたは複数の連絡先を削除するための削除モジュールとを備える。
【００１２】
好ましくは、前記装置は、さらに、
アドレス帳における連絡先の連絡情報が前記取得モジュールによって取得される前に、連絡先をクリーンアップする旨の指令を受信するための第２受信モジュールを備える。
【００１３】
好ましくは、前記取得モジュールは、所定時間間隔ごとに、アドレス帳における連絡先の連絡情報を取得する。
【００１４】
本発明の実施例の第３態様によれば、連絡先管理装置を提供する。当該装置は、
プロセッサと、
プロセッサの実行可能な指令を記憶するためのメモリとを備え、
前記プロセッサは、
アドレス帳における連絡先の連絡情報を取得し、
連絡情報が所定条件を満たす連絡先を、削除すべき連絡先として特定し、
特定された前記削除すべき連絡先を表示するように構成され、
前記連絡情報には、前記連絡先の社交情報に対する照会状況が含まれている。
【発明の効果】
【００１５】
本発明の実施例に供される技術案は、以下の格別な作用効果を奏することができる。
【００１６】
上記技術案では、端末機器が連絡先の連絡情報および所定条件に基づいて、アドレス帳におけるどれらの連絡先の連絡情報が所定条件を満たすかを特定し、所定条件を満たすものを削除すべき連絡先として特定し、特定した削除すべき連絡先を表示してもよい。ただし、連絡情報には、前記連絡先の社交情報に対する照会状況が含まれている。そのため、端末機器は、連絡先の社交情報に対する照会状況に応じて削除すべき連絡先を提供可能であり、ユーザは、連絡先の社交情報に対する照会状況に基づいてアドレス帳における連絡先を便利に管理することができる。
【００１７】
別の実施例では、連絡先の連絡情報を予め記録しているため、これらの連絡情報に基づく連絡先の選別を実施可能である。また、選別された連絡先をユーザへ表示して、削除すべき連絡先をその選別された連絡先の中から選択させることもできる。これにより、連絡先を一括削除する機能をユーザへ供給し、連絡先に対するユーザの管理が便利になる。
【００１８】
別の実施例では、連絡先をクリーンアップする旨の指令が受信されたか否かに応じて、当該方法手順を起動してもよい。当該連絡先をクリーンアップする旨の指令は、端末機器に配置された機能キーあるいは端末機器中のＡＰＰにおける機能キーを選択することでトリガされてもよい。ユーザが手動で連絡先のクリーンアップを起動する機能が実現する。
【００１９】
別の実施例では、当該連絡先管理方法は、定期的に自動実行されてもよい。
【００２０】
以上の一般的な記述および後述する詳細な説明は、例示的や解釈的なものであり、本発明を制限するためのものでないことは、理解されるべきである。
【図面の簡単な説明】
【００２１】
ここでの図面は、明細書を構成する一部として見なされ、本発明に適した実施例を示し、かつ、明細書の文字記載とともに本発明の仕組みを解釈するために用いられる。
【図１】一実施例による連絡先管理方法を示すフローチャートである。
【図２】別の実施例による連絡先管理方法を示すフローチャートである。
【図３】一実施例による特定された削除すべき連絡先を携帯電話インターフェース上に表示する模式図である。
【図４】一実施例による連絡先管理方法を示すフローチャートである。
【図５】別の実施例による連絡先管理装置を示すブロック図である。
【図６】別の実施例による連絡先管理装置を示すブロック図である。
【図７】別の実施例による連絡先管理装置を示すブロック図である。
【図８】一実施例によるビデオ通信のための装置を示すブロック図である。
【発明を実施するための形態】
【００２２】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００２３】
本発明の実施例に供される技術案は、端末機器に関する。端末機器は、例えば、携帯電話、タブレットＰＣ、ノートパソコン等を含む。端末機器は、端末機器に記憶されたアドレス帳、または、端末機器でインストールされたＡＰＰにおけるアドレス帳の連絡先を管理する。
【００２４】
図１は、一実施例による連絡先管理方法を示すフローチャートである。図１に示すように、連絡先管理方法は、端末機器に用いられ、以下のステップＳ１１〜Ｓ１３を含む。
【００２５】
ステップＳ１１では、アドレス帳における連絡先の連絡情報を取得し、前記連絡情報には、前記連絡先の社交情報に対する照会状況が含まれている。
【００２６】
連絡情報は、以下の１つまたは複数の連絡情報を含んでもよい。つまり、連絡先として追加された時間と、連絡先と連絡した時間および／または回数と、連絡先資料を照会した時間および／または回数と、連絡先の個人空間を照会した時間および／または回数と、連絡先から配布された情報を閲覧した時間および／または回数と、連絡先のコメントの返信の時間および／または回数とのうちの１つまたは複数を含んでもよい。その中、連絡先資料を照会した時間および／または回数と、連絡先の個人空間を照会した時間および／または回数と、連絡先から配布された情報を閲覧した時間および／または回数と、連絡先のコメントの返信の時間および／または回数などは、前記連絡先の社交情報に対する照会状況に属する。
【００２７】
ステップＳ１２では、連絡情報が所定条件を満たす連絡先を、削除すべき連絡先として特定する。
【００２８】
ステップＳ１３では、特定された前記削除すべき連絡先を表示する。
【００２９】
本実施例では、端末機器が連絡先の連絡情報および所定条件に基づいて、アドレス帳におけるどれらの連絡先の連絡情報が所定条件を満たすかを特定し、特定した削除すべき連絡先を表示してもよい。ただし、連絡情報には、前記連絡先の社交情報に対する照会状況が含まれている。そのため、端末機器は、連絡先の社交情報に対する照会状況に応じて削除すべき連絡先を提供可能であり、ユーザは、連絡先の社交情報に対する照会状況に基づいてアドレス帳における連絡先を便利に管理することができる。
【００３０】
図２は、別の実施例による連絡先管理方法を示すフローチャートである。図２に示すように、別の実施例では、連絡先管理方法は、以下のステップを含む。
【００３１】
ステップＳ２１では、アドレス帳における連絡先のそれぞれへ連絡情報を記録する。
【００３２】
連絡情報は、連絡先として追加された時間と、連絡先と連絡した時間および／または回数と、連絡先資料を照会した時間および／または回数と、連絡先の個人空間を照会した時間および／または回数と、連絡先から配布された情報を閲覧した時間および／または回数と、連絡先のコメントの返信の時間および／または回数とを含んでもよい。
【００３３】
ステップＳ２２では、記録されたアドレス帳における連絡先の連絡情報を取得する。
【００３４】
ステップＳ２３では、連絡先の連絡情報のそれぞれが所定条件を満たすか否かを別個に判断する。そうであれば、ステップＳ２４を実行し、そうでなければ、終了させる。
【００３５】
ただし、所定条件は、連絡先の削除の適否を判断する根拠である。所定条件は、ユーザ自身の需要に応じて設計されてもよい。緩くても厳しくてもいい。緩い所定条件とは、例えば、連絡先から配布された情報を閲覧した最新時点が半年前であり、すなわち、半年内で連絡先から配布された情報をずっと閲覧していないことを指してもよい。そうであれば、当該連絡先を削除すべき連絡先として特定する。厳しい所定条件とは、例えば、連絡先から配布された情報を閲覧した最新時点が１ヶ月前であり、且つ連絡先がコメントを返信した最新時点が１ヶ月前であることを指す。つまり、最近の１ヶ月で連絡先から配布された情報を閲覧しておらず、且つ当該連絡先が最近の１ヶ月でコメントを返信していない場合のみ、当該連絡先を削除すべき連絡先として特定する。
【００３６】
本発明の他の実施例では、所定条件は、ユーザが自分の需要に応じて設定したものであってもよい。
【００３７】
ステップＳ２４では、連絡情報が所定条件を満たす連絡先を、削除すべき連絡先として特定する。
【００３８】
ステップＳ２５では、特定された削除すべき連絡先を表示する。
【００３９】
例えば、図３に示されたものは、例示的な携帯電話インターフェースである。当該インターフェースにおいて、リストの方式により、特定された削除すべき連絡先を表示する。
【００４０】
ステップＳ２６では、ユーザ削除指令を受信し、前記ユーザ削除指令には、表示された削除すべき連絡先のうちの１つまたは複数の連絡先に対する選択が付加されている。
【００４１】
例えば、ユーザは、図３に示す削除すべき連絡先リスト中のチェックボックスにより、削除すべき連絡先を選択してもよい。
【００４２】
ステップＳ２７では、選択された１つまたは複数の連絡先をアドレス帳中から削除する。
【００４３】
本実施例では、連絡先の連絡情報を予め記録しているため、これらの連絡情報に基づく連絡先の選別を実施可能である。また、本実施例では、選別された連絡先をユーザへ表示して、ユーザにその選別された連絡先の中から削除すべき連絡先を選択させることもできる。これにより、連絡先を一括削除する機能をユーザへ供給し、連絡先に対するユーザの管理が便利になる。
【００４４】
図４は、別の実施例による連絡先管理方法を示すフローチャートである。図４に示すように、別の実施例では、連絡先管理方法は、以下のステップを含む。
【００４５】
ステップＳ４１では、連絡先をクリーンアップする旨の指令が受信されたか否かを判断する。そうであれば、ステップＳ４２を実行し、そうでなければ、終了させる。
【００４６】
ステップＳ４２では、アドレス帳における連絡先の連絡情報を取得する。
【００４７】
ステップＳ４３では、連絡先の連絡情報のそれぞれが所定条件を満たすか否かを別個に判断する。そうであれば、ステップＳ４４を実行し、そうでなければ、終了させる。
【００４８】
ステップＳ４４では、連絡情報が所定条件を満たす連絡先を、削除すべき連絡先として特定する。
【００４９】
ステップＳ４５では、特定された削除すべき連絡先を表示する。
【００５０】
ステップＳ４６では、前記削除すべき連絡先のうちの１つまたは複数の連絡先に対する選択を含むユーザ削除指令を受信する。
【００５１】
ステップＳ４７では、選択された１つまたは複数の連絡先をアドレス帳から削除する。
【００５２】
本実施例では、連絡先をクリーンアップする旨の指令が受信されたか否かに応じて当該方法ステップを起動し、当該連絡先をクリーンアップする旨の指令は、端末機器に配置された機能キーあるいは端末機器中のＡＰＰにおける機能キーを選択することでトリガされてもよい。つまり、ユーザが手動で連絡先のクリーンアップを起動する機能が実現する。
【００５３】
他の実施例では、当該連絡先管理方法は、定期的に自動実行されてもよい。例えば、端末機器中のＡＰＰは、１週間あるいは３日ごとに連絡先を自動的にクリーンアップし、特定されたあらゆる削除すべき連絡先を表示する。
【００５４】
本発明の方法実施例を実行するための本発明の装置実施例を以下に示す。
【００５５】
図５は、一実施例による連絡先管理装置を示すブロック図である。当該装置は、ソフトウェア、ハードウェアまたは両者の組み合わせで、電子機器の一部または全部として実現されてもよい。
【００５６】
図５に示すように、当該ビデオ通信装置は、取得モジュール５１および特定モジュール５２を備える。
【００５７】
取得モジュール５１は、アドレス帳における連絡先の連絡情報を取得するように構成され、前記連絡情報には、前記連絡先の社交情報に対する照会状況が含まれている。
【００５８】
連絡情報は、連絡先として追加された時間と、連絡先と連絡した時間および／または回数と、連絡先資料を照会した時間および／または回数と、連絡先の個人空間を照会した時間および／または回数と、連絡先から配布された情報を閲覧した時間および／または回数と、連絡先のコメントの返信の時間および／または回数とのうちの１つまたは複数を含む。その中、連絡先資料を照会した時間および／または回数と、連絡先の個人空間を照会した時間および／または回数と、連絡先から配布された情報を閲覧した時間および／または回数と、連絡先のコメントの返信の時間および／または回数等は、前記連絡先の社交情報に対する照会状況に属する。
【００５９】
特定モジュール５２は、前記取得モジュール５１によって取得された連絡情報が所定条件を満たす連絡先を、削除すべき連絡先として特定するように構成される。
【００６０】
ただし、所定条件は、連絡先の削除の適否を判断する根拠である。所定条件は、ユーザ自身の需要に応じて設計されてもよい。緩くても厳しくてもいい。緩い所定条件とは、例えば、連絡先から配布された情報を閲覧した最新時点が半年前であり、すなわち、半年内で連絡先から配布された情報をずっと閲覧していないことを指してもよい。そうであれば、当該連絡先を削除すべき連絡先として特定する。厳しい所定条件とは、例えば、連絡先から配布された情報を閲覧した最新時点が１ヶ月前であり、且つ連絡先がコメントを返信した最新時点が１ヶ月前であることを指してもよい。つまり、最近の１ヶ月で連絡先から配布された情報を閲覧しておらず、且つ当該連絡先が最近の１ヶ月でコメントを返信していない場合のみ、当該連絡先を削除すべき連絡先として特定する。
【００６１】
表示モジュール５３は、前記特定モジュール５２によって特定された前記削除すべき連絡先を表示するように構成される。
【００６２】
本実施例では、端末機器が連絡先の連絡情報および所定条件に基づいて、アドレス帳におけるどれらの連絡先の連絡情報が所定条件を満たすかを特定し、特定した削除すべき連絡先を表示してもよい。ただし、連絡情報には、前記連絡先の社交情報に対する照会状況が含まれている。そのため、端末機器は、連絡先の社交情報に対する照会状況に応じて削除すべき連絡先を提供可能であり、ユーザは、連絡先の社交情報に対する照会状況に基づいてアドレス帳における連絡先を便利に管理することができる。
【００６３】
図６は、別の実施例によるビデオ通信装置を示すブロック図である。図６に示すように、別の実施例では、当該装置は、記録モジュール５４をさらに備える。
【００６４】
記録モジュール５４は、連絡先の連絡情報が前記取得モジュール５１によって取得される前に、連絡先として追加された時間と、連絡先と連絡した時間および／または回数と、連絡先資料を照会した時間および／または回数と、連絡先の個人空間を照会した時間および／または回数と、連絡先から配布された情報を閲覧した時間および／または回数と、連絡先がコメントを返信した時間および／または回数とのうちの１つまたは複数の連絡情報を、連絡先へそれぞれ記録するように構成される。
【００６５】
取得モジュール５１は、前記記録モジュール５４によって記録された前記連絡情報から、アドレス帳における連絡先の連絡情報を取得するように構成される。
【００６６】
図７は、別の実施例によるビデオ通信装置を示すブロック図である。図７に示すように、別の実施例では、当該装置は、第１受信モジュール５５および削除モジュール５６をさらに備える。
【００６７】
前記第１受信モジュール５５は、前記表示モジュール５３によって表示された前記削除すべき連絡先のうちの１つまたは複数の連絡先に対する選択を含むユーザ削除指令を受信する。
【００６８】
前記削除モジュール５６は、前記受信モジュール５５によって受信された前記ユーザ削除指令における前記１つまたは複数の連絡先をアドレス帳から削除する。
【００６９】
別の実施例では、前記装置は、さらに、
第２受信モジュール５７は、アドレス帳における連絡先の連絡情報が前記取得モジュール５１によって取得される前に、連絡先をクリーンアップする旨の指令を受信する。
【００７０】
本実施例では、連絡先をクリーンアップする旨の指令が受信されたか否かに応じて連絡先のクリーンアップを起動する。当該連絡先をクリーンアップする旨の指令は、端末機器に配置された機能キー或いは端末機器のＡＰＰにおける機能キーを選択することでトリガされてもよい。つまり、ユーザが手動で連絡先のクリーンアップを起動する機能が実現する。
【００７１】
別の実施例では、取得モジュール５１は、所定時間間隔ごとに、アドレス帳における連絡先の連絡情報を取得するように構成される。例えば、端末機器におけるＡＰＰは、一週間ごとに、あるいは３日ごとに、連絡先を自動的にクリーンアップし、特定されたあらゆる削除すべき連絡先を表示する。
【００７２】
本発明は、連絡先管理装置をさらに提供する。当該装置は、
プロセッサと、
プロセッサの実行可能な指令を記憶するためのメモリとを備え、
前記プロセッサは、
アドレス帳における連絡先の連絡情報を取得し、
連絡情報が所定条件を満たす連絡先を、削除すべき連絡先として特定し、
特定された前記削除すべき連絡先を表示するように構成され、
前記連絡情報には、前記連絡先の社交情報に対する照会状況が含まれている。
【００７３】
上記実施例の装置における各モジュールが操作を実行する具体的な方式が当該方法に関する実施例において詳細に記述されたため、ここで詳細に説明しない。
【００７４】
図８は、一実施例による連絡先を管理するための装置８００を示すブロック図である。例えば、装置８００は、携帯電話、コンピュータ、デジタル放送端末、メッセージ送受信機器、ゲームコンソール、タブレットデバイス、医療設備、フィットネス機器、ＰＤＡなどであってもよい。
【００７５】
図８を参照すると、装置８００は、処理ユニット８０２、メモリ８０４、電源ユニット８０６、マルチメディアユニット８０８、オーディオユニット８１０、入力／出力（Ｉ／Ｏ）インターフェース８１２、センサユニット８１４、および、通信ユニット８１６のうちの１つまたは複数を含んでもよい。
【００７６】
処理ユニット８０２は、通常は、表示、電話発呼、データ通信、カメラ操作および記録操作に関連する操作のような、装置８００の全般操作を制御する。処理ユニット８０２は、上記方法の全部または一部のステップを実施させるように、指令を実行するための１つまたは複数のプロセッサ８２０を含んでもよい。また、処理ユニット８０２は、処理ユニット８０２と他のユニットとの間の相互作用を容易にするように、１つ又は複数のモジュールを含んでもよい。例えば、処理ユニット８０２は、マルチメディアユニット８０８と処理ユニット８０２との間の相互作用を容易にするように、マルチメディアモジュールを含んでもよい。
【００７７】
メモリ８０４は、各タイプのデータを記憶して装置８００での操作をサポートするように構成される。これらのデータの例示は、装置８００で操作するための任意のアプリケーションもしくは方法の指令、連絡先データ、電話帳データ、メッセージ、ピクチャ、ビデオなどを含む。メモリ８０４は、如何なる種別の揮発性もしくは不揮発性記憶装置またはそれらの組合せで実現されてもよい。例えば、スタティックランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクであってもよい。
【００７８】
電源ユニット８０６は、装置８００のユニットのそれぞれに電力を供給する。電源ユニット８０６は、電源管理システム、１つまたは複数の電源、並びに、他の装置８００用の電力を生成、管理および配分するに関する他のユニットを含んでもよい。
【００７９】
マルチメディアユニット８０８は、前記装置８００とユーザとの間に1つの出力インターフェースを供給するスクリーンを含む。一部の実施例では、スクリーンは、液晶ディスプレイ（ＬＣＤ）およびタッチパネル（ＴＰ）を含んでもよい。スクリーンは、タッチパネルを含む場合、ユーザからの入力信号を受信するように、タッチスクリーンとして実現されてもよい。タッチパネルは、タッチ、スライドおよびタッチパネルでのジェスチャを感知するように、１つまたは複数のタッチセンサを含む。前記タッチセンサは、タッチあるいはスライド動作の境界を感知するだけではなく、タッチあるいはスライド操作と関連する継続時間および圧力をさらに検出することができる。一部の実施例では、マルチメディアユニット８０８は、１つのフロントカメラおよび/またはバックカメラを含む。装置８００が操作モード、例えば、撮影モードあるいはビデオモードであるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【００８０】
オーディオユニット８１０は、オーディオ信号を出力および／または入力するように構成される。例えば、オーディオユニット８１０は、マイク（ＭＩＣ）を備え、装置８００が操作モード、例えば、発呼モード、記録モードおよび音声識別モードであるとき、マイクは、外部オーディオ信号を受信するように構成される。受信されたオーディオ信号は、さらに、メモリ８０４に格納される、または、通信ユニット８１６を介して送信されることができる。一部の実施例では、オーディオユニット８１０は、出力オーディオ信号を出力するためのスピーカをさらに備える。
【００８１】
Ｉ／Ｏインターフェース８１２は、処理ユニット８０２とペリフェラルインターフェースモジュールとの間でインターフェースを供給するものであり、上記ペリフェラルインターフェースモジュールは、キーボード、クリックホイール、ボタンなどであってもよい。これらのボタンには、ホームページボタン、ボリュームボタン、起動ボタンおよびロックボタンが含まれてもよいが、それらに限定されない。
【００８２】
センサユニット８１４は、様々な側面での状態推定を装置８００に供給するための１つまたは複数のセンサを含む。例えば、センサユニット８１４は、装置８００のオン／オフ状態、ユニットの相対位置を検出することができ、ユニットは、例えば、装置８００のディスプレイおよびキーパッドである。センサユニット８１４は、さらに、装置８００もしくは装置８００の１つのユニットの位置変更、ユーザと装置８００との接触の存在もしくは非存在、装置８００の方位もしくは加速/減速および装置８００の温度変化をさらに検出することができる。センサユニット８１４は、如何なる物理的接触もないとき、近辺にある物体の存在を検出するための近接センサを含んでもよい。センサユニット８１４は、さらに、イメージングアプリケーションに使用される光センサ、例えばＣＭＯＳまたはＣＣＤ画像センサを含んでもよい。一部の実施例では、当該センサユニット８１４は、さらに、加速度センサ、ジャイロセンサ、磁気センサ、圧力センサ、または温度センサを含んでもよい。
【００８３】
通信ユニット８１６は、装置８００と他の機器間の無線または有線方式の通信ができるように構成される。装置８００は、通信規格に基づく無線ネットワーク、例えば、ＷｉＦｉ、２Ｇもしくは３Ｇなどの通信規格、またはそれらの組合せに基づく無線ネットワークにアクセスすることができる。ある実施例では、通信ユニット８１６は、外部ブロードキャスト管理システムからのブロードキャスト信号またはブロードキャスト関連情報をブロードキャストチャネルを介して受信する。ある実施例では、通信ユニット８１６は、さらに、短距離通信を容易にするように、ニアフィールド通信（ＮＦＣ）モジュールを含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術および他の技術によって実現されてもよい。
【００８４】
実施例では、装置８００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【００８５】
実施例では、指令を含む非一時的コンピュータ読取可能な記憶媒体、例えば、指令を含むメモリ８０４をさらに提供し、上記指令が装置８００のプロセッサ８２０によって実行されることで上記方法を実施させることができる。例えば、前記非一時的コンピュータ読取可能な記憶媒体は、ＲＯＭ、ランダムアクセスメモリ（ＲＡＭ）、ＣＤ-ＲＯＭ、磁気テープ、フロッピーディスクおよび光データ記憶機器などであってもよい。
【００８６】
非一時的コンピュータ読取可能な記憶媒体を提供する。前記記憶媒体における指令が移動端末のプロセッサによって実行されるとき、移動端末が連絡先管理方法を実行可能である。前記方法は、
アドレス帳における連絡先の連絡情報を取得するステップと、
連絡情報が所定条件を満たす連絡先を、削除すべき連絡先として特定するステップと、
特定された前記削除すべき連絡先を表示するステップとを含み、
前記連絡情報には、前記連絡先の社交情報に対する照会状況が含まれている。
【００８７】
好ましくは、前記連絡先の連絡情報を取得する前に、前記方法は、さらに、
連絡先として追加された時間と、連絡先と連絡した時間および／または回数と、連絡先資料を照会した時間および／または回数と、連絡先の個人空間を照会した時間および／または回数と、連絡先から配布された情報を閲覧した時間および／または回数と、連絡先がコメントを返信した時間および／または回数とのうちの１つまたは複数の連絡情報を、それぞれ連絡先へ記録するステップを含み、
前記アドレス帳における連絡先の連絡情報を取得するステップは、
記録された前記連絡情報から、アドレス帳における連絡先の連絡情報を取得するステップを含む。
【００８８】
好ましくは、特定された削除すべき連絡先を表示した後、前記方法は、さらに、
前記削除すべき連絡先のうちの１つまたは複数の連絡先に対する選択を含むユーザ削除指令を受信するステップと、
アドレス帳から前記１つまたは複数の連絡先を削除するステップとを含む。
【００８９】
好ましくは、前記アドレス帳における連絡先の連絡情報を取得する前に、前記方法は、さらに、
連絡先をクリーンアップする旨の指令を受信するステップを含む。
【００９０】
好ましくは、前記アドレス帳における連絡先の連絡情報を取得するステップは、
所定時間間隔ごとに、アドレス帳における連絡先の連絡情報を取得するステップを含む。
【００９１】
当業者は、明細書を考慮し、ここに公開された発明を実践した後、本発明の他の実施案を容易に想到する。本願は、本発明の如何なる変形、用途または適合もカバーすることを意図する。これらの変形、用途または適合は、本発明の一般的な仕組みに従い、かつ、本発明に公開されていない当分野における公知常識または慣用技術手段を含む。明細書および実施例は単なる例示と見なされ、本発明の本当の範囲および思想は添付する特許請求の範囲によって与えられる。
【００９２】
本発明が以上で記載され、且つ図面に示された正確な構造に限定されるものでなく、その要旨を逸脱しない範囲で様々な補正や変更も可能であることは理解されるべきである。本発明の範囲は、添付する特許請求の範囲のみによって限定される。
本願は、出願番号が２０１５１０８１２８６３.３であり、出願日が２０１５年１１月２０日である中国特許出願に基づいて優先権を主張する。当該中国特許出願の全ての内容は、ここに参考として引用される。
【図１】
2018503273.tif 000003
【図２】
2018503273.tif 000004
【図３】
2018503273.tif 000005
【図４】
2018503273.tif 000006
【図５】
2018503273.tif 000007
【図６】
2018503273.tif 000008
【図７】
2018503273.tif 000009
【図８】
2018503273.tif 000010
【国際調査報告】
2018503273.tif 000011
2018503273.tif 000012
2018503273.tif 000013
2018503273.tif 000014